(57)【特許請求の範囲】
【請求項１】
使用開始時、又は、所定時間以上の演奏休止状態の継続後、最初のカラオケ曲の演奏開始時にスタートし、演奏されたカラオケ曲の曲数を積算するカウンタと、歌い過ぎ警告文を記録したメモリと、カウンタの積算値が所定値に達したとき、メモリに記録された歌い過ぎ警告文を画面上に表示する装置とを備えた家庭用カラオケ装置。
【発明の詳細な説明】
【０００１】
【発明の属する技術分野】
本発明は、各家庭のテレビ等に接続して使用され、所望のカラオケソフトをセットするか、又は、通信回線を通じてカラオケ情報の配信を受けてカラオケを行う家庭用カラオケ装置に関する。
【０００２】
【従来の技術】
業務用のカラオケ装置においては、カラオケの利用回数や時間に応じて使用料金が課せられるので、利用者が際限なく歌い続けることはないが、一方、所望のカラオケソフトを購入して利用するタイプの家庭用カラオケ装置では、そのカラオケソフトの購入後に利用頻度に応じて使用料金の請求がされることはない。従って、ソフトの購入後、利用者は自由に好きなだけカラオケを楽しむことができるので、利用者が歌うことだけに没頭して時間の感覚が麻痺した場合、度を越えて長時間歌い続ける結果となり、目や喉を傷めるという問題があった。
【０００３】
また、家庭用の通信カラオケでは、料金が後払いである上、安価であるので、ついつい歌い過ぎることも多く、上記の場合と同様、目や喉を傷め易いという問題があった。また、通信カラオケを使用料金の負担者の知らないところで家族や友人等が長時間利用し続けると、負担者はある日突然相当額の使用料金の請求を受け、驚くことになるが、長時間の使用を中断させることができればこのような事態を未然に防ぐことができ、好都合である。
【０００４】
【発明が解決しようとする課題】
本発明は上記の問題を解決するためなされたものであり、その目的とするところは、長時間利用し続けることによって利用者が目や喉を傷めるのを防止でき、さらに、通信カラオケシステムの場合、使用料金の負担者以外のものが勝手に長時間使用し続けるのを防止できる家庭用カラオケ装置を提供することにある。
【０００５】
【課題を解決するための手段】
上記の目的は、使用開始時、又は、所定時間以上の演奏休止状態の継続後、最初のカラオケ曲の演奏開始時にスタートし、演奏されたカラオケ曲の曲数を積算するカウンタと、歌い過ぎ警告文を記録したメモリと、カウンタの積算値が所定値に達したとき、メモリに記録された歌い過ぎ警告文を画面上に表示する装置とを備えた家庭用カラオケ装置によって利用者に歌い過ぎを認識させることにより達成される。
【０００６】
【作用】
上記の如き構成であると、熱中の余り、時間を忘れて歌い続けている利用者に、歌い過ぎを認識させることができるものである。
【０００７】
【発明の実施の形態】
以下、図面により本発明の詳細を説明する。図１は本発明に係る家庭用カラオケ装置の一実施例の構成を示すブロック図、図２は図１に示した装置の作動を示すフローチャート、図３は図１に示したＣＲＴに表示される警告表示の一実施例を示す平面図である。
【０００８】
まず、図１について説明する。図１中、１は家庭用カラオケ装置、２は画像再生装置、３はＣＲＴ、４はマイク、５はアンプ、６はスピーカーである。家庭用カラオケ装置１は通信カラオケシステムの端末機であり、ＣＰＵ１０と、カウンタ１１と、メモリ１２と、ＶＤＰ１３と、映像Ｄ／Ａ１４と、ＮＴＳＣエンコーダ１５と、音源Ｄ／Ａ１６と、ミキサ１７とから成る。
【０００９】
ＣＰＵ１０は、通信回線を介して図示しないデータベースに接続され、この家庭用カラオケ装置１の作動を制御するものである。カウンタ１１はＣＰＵ１０に接続され、家庭用カラオケ装置１の電源をＯＮにするとリセットされ、カラオケ曲の演奏開始と共に、カラオケ曲の演奏曲数を積算し始める。また、このカウンタ１１は、１０分以上カラオケ曲の演奏が休止した場合にもリセットされ、その後最初のカラオケ曲の演奏開始時に再度カラオケ曲の演奏曲数を積算する。
【００１０】
メモリ１２はＣＰＵ１０に接続され、警告表示データを格納し、カウンタ１１の出力指令により、その警告表示データを出力する。ＶＤＰ１３はＣＰＵ１０に接続され、データベースから配信されたカラオケ情報に基づきＣＲＴ３に表示される歌詞テロップと、メモリ１２から出力された警告表示データに基づき警告表示を生成する。
【００１１】
映像Ｄ／Ａ１４はＶＤＰ１３に接続され、歌詞テロップ及び警告表示のデータをアナログ変換する。ＮＴＳＣエンコーダ１５は映像Ｄ／Ａ１４に接続され、歌詞テロップ及び警告表示のアナログデータをＮＴＳＣフォーマットに変換すると共に、その変換データを外部の画像再生装置２から供給される背景画像データに重畳する。
【００１２】
音源Ｄ／Ａ１６はＣＰＵ１０に接続され、データベースから配信されたカラオケ情報に基づき曲データをアナログ変換する。ミキサ１７は音源Ｄ／Ａ１６に接続され、アナログ変換された曲データと、外部のマイク４から入力される歌声とをミキシングする。画像再生装置２は、例えば、レーザーディスクプレーヤーであり、ＮＴＳＣエンコーダ１１に画像情報を出力する。
【００１３】
ＣＲＴ３はＮＴＳＣエンコーダ１５に接続され、背景画像、歌詞テロップ及び警告表示を表示する。マイク４はミキサ１７に接続され、利用者の歌声の入力に使用される。アンプ５はミキサ１７に接続され、カラオケ曲と歌声のミキシングデータを増幅してスピーカ６から出力させる。
【００１４】
以下、図２を参照してこの家庭用カラオケ装置１の作動を説明する。この家庭用カラオケ装置１の電源をＯＮにすると、カウンタ１１がリセットされる。そして、カラオケ曲の演奏開始と同時にカウンタ１１が演奏曲数を積算し始めるが、カラオケ曲の演奏曲数が一定の設定数に達する前に、１０分以上、演奏が休止した場合は、カウンタ１１はリセットされ、その後、最初にカラオケ曲の演奏が始まったときから再び演奏曲数の積算を始める。こうして利用者のリクエストに応じ、次々とカラオケ曲が演奏され、その演奏曲数が所定数に達したとき、図３に示したように、ＣＲＴ３の画面３０には、警告表示３００が表示される。
【００１５】
この警告表示３００は、例えば『警告：長時間連続して使用すると視力が低下すると共に、喉が潰れる恐れがあります。健康維持のため休憩してください。』というようなものであり、背景画像３０１と、歌詞テロップ３０２とから成るカラオケ映像が表示されている画面３０の上部に３秒間大きく表示される。
【００１６】
なお、本発明は叙上の実施例に限定されるものではなく、例えば、警告を表示するまでの曲数をカラオケの利用人数に応じて適宜選択できるようにしてもよい。また、警告を無視してカラオケを使用し続けたときには、使用を停止するまで短い間隔で定期的に警告を表示するようにしてもよく、また、新たにカラオケ曲のリクエストができないようにしてもよい。
【００１７】
また、警告を表示する時期は、積算された曲数が所定値に達した時に演奏中のカラオケ曲の終了時に表示し、その際、アラーム音を発するようにしてもよく、また、警告表示は、複数種類のものを順番又はランダムに表示するようにしてもよい。また、家庭用カラオケ装置は所望のカラオケソフトを購入して利用するタイプのものであってもよく、さらに、警告表示の内容やその表示時間、表示位置、カウンタをリセットに要するカラオケの休止時間は本発明の目的の範囲内で適宜に変更できるものであり、本発明は上記の説明から当業者が容易に想到し得る総ての変更実施例を包摂するものである。
【００１８】
【発明の効果】
本発明に係る家庭用カラオケ装置は叙上の如く構成されるので、本発明によるときは、我を忘れてカラオケに没頭している利用者に確実に歌い過ぎを認識させることができ、それを認識した時点でカラオケを辞めれば健康を損なうことがなく、さらに、通信カラオケシステムの場合、使用料金の負担者以外のものが勝手に長時間使用し続けることを防止できる。
【図面の簡単な説明】
【図１】本発明に係る家庭用カラオケ装置の一実施例の構成を示すブロック図である。
【図２】図１に示した装置の作動を示すフローチャートである。
【図３】図１に示したＣＲＴに表示される警告表示の一実施例を示す平面図である。
【符号の説明】
１・・・・・・カラオケ装置
１０・・・・・ＣＰＵ
１１・・・・・カウンタ
１２・・・・・メモリ
１３・・・・・ＶＤＰ
１４・・・・・映像Ｄ／Ａ
１５・・・・・ＮＴＳＣエンコーダ
１６・・・・・音源Ｄ／Ａ
１７・・・・・ミキサ
２・・・・・・画像再生装置
３・・・・・・ＣＲＴ
３０・・・・・画面
３００・・・・警告表示
３０１・・・・背景画像
３０２・・・・歌詞テロップ
４・・・・・・マイク
５・・・・・・アンプ
６・・・・・・スピーカー
【図１】
0003617862.tif 000002
【図２】
0003617862.tif 000003
【図３】
0003617862.tif 000004